(57)【要約】【課題】組立効率を向上させるレンズ板、光源ユニット、光源ユニット用電気接続構造及びＬＥＤ照明器具を提供する。【解決手段】レンズ板１１０は、両端にそれぞれ第１係止具１２０が設置され、第１係止具が、レンズ板を離間してベースと着脱可能に係止する係止部１２１と、係止部とレンズ板を接続する接続部１２２とを備え、接続部が、開口が下向きのＵ型構造であり、接続部の頂端がレンズ板の頂端と同高さ又はレンズ板の頂端よりも高いように形成される。光源ユニット１００は、光源基板と、光源基板と着脱可能に接続するレンズ板とを含む。シーリングライトは、ベースと、ベースに設置される光源ユニットを含む。本出願によるレンズ板、光源ユニット及びシーリングライトは、レンズ板の両端に光源ユニットをシーリングライトのベースに着脱可能に係止するための第１係止具がそれぞれ設けられることによって、光源ユニットとベースとの係止が実現される。【選択図】図１
0003226661.tif 000002
【実用新案登録請求の範囲】
【請求項１】
レンズ板であって、
両端にそれぞれ第１係止具が設置され、
前記第１係止具は、前記レンズ板を離間してシーリングライトのベースと着脱可能に係止する係止部と、前記係止部と前記レンズ板を接続する接続部とを備え、
前記接続部は、開口が下向きのＵ型構造であることを特徴とするレンズ板。
【請求項２】
前記レンズ板に、前記光源基板と係止するための第２係止具がさらに設置されることを特徴とする請求項１に記載のレンズ板。
【請求項３】
光源基板と、
前記光源基板と着脱可能に接続される請求項１又は２に記載のレンズ板と
を含むことを特徴とする光源ユニット。
【請求項４】
光源基板とレンズ板とを含み、
前記光源基板は、前記光源基板を貫通する第２貫通孔が両端にそれぞれ設けられ、２つの前記第２貫通孔を結ぶ線と前記光源基板の長手方向の中心線とが鋭角をなすように設けられ、
前記レンズ板に、前記光源基板と着脱可能に係止するための第２係止具が設置され、前記第２係止具と前記第２貫通孔とが一対一で対応する
ことを特徴とする光源ユニット。
【請求項５】
前記第２係止具が片持ちアームを含み、
前記レンズ板に第３貫通孔が設けられ、前記片持ちアームの頂端が前記第３貫通孔を通過して前記レンズ板の頂面に設けられている接続具と接続され、
前記接続具は、前記レンズ板の上方に位置する第１部と、前記第１部と前記レンズ板とを接続する第２部とを含み、前記片持ちアームが前記第１部の底部に設置されることを特徴とする請求項４に記載の光源ユニット。
【請求項６】
複数の光源ユニットと複数のケーブルとを含み、
各前記光源ユニットの両端にそれぞれレセプタクルが設置され、
各前記ケーブルの両端にそれぞれ前記レセプタクルに挿着するプラグが設けられ、
前記光源ユニット同士が前記ケーブルを介して接続され、
前記レセプタクルに、前記プラグを挿入する係止溝が設けられ、前記係止溝の対向する２つの内側壁にそれぞれガイド溝が設けられ、前記プラグの２つの側面において、前記ガイド溝と対応する摺動可能なガイドブロックがそれぞれ設けられていることを特徴とする光源ユニット用電気接続構造。
【請求項７】
前記レセプタクルの導電片の一端が前記光源ユニットの電極と溶接で接続され、前記レセプタクルの導電片の他端が前記プラグと挿着接続され、前記プラグに、前記レセプタクルの導電片を挿入する差込孔が設けられていることを特徴とする請求項６に記載の光源ユニット用電気接続構造。
【請求項８】
ベースと、光源ユニット群と、駆動ユニットと、カバーとを含み、
光源ユニット群は、着脱可能に前記ベースに取り付けられる複数の光源ユニットを含み、前記光源ユニットは、光源基板とレンズ板とを含み、前記光源基板の両端に前記光源基板を貫通する第１貫通孔がそれぞれ設けられ、２つの前記第１貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第１貫通孔とが一対一で対応し、
駆動ユニットは、前記ベースに取り付けられ、前記光源ユニットと前記駆動ユニットとが電気接続され、
カバーは、前記ベースと着脱可能に接続され、前記光源ユニット群及び前記駆動ユニットを遮るように構成されている
ことを特徴とするＬＥＤ照明器具。
【請求項９】
前記光源ユニットを前記ベースに着脱可能に取り付けるように、前記光源ユニットの両端にそれぞれ係止ヘッドが設置され、前記ベースに、前記係止ヘッドを係止する係止孔が対応に設けられていることを特徴とする請求項８に記載のＬＥＤ照明器具。
【請求項１０】
前記ベースの嵌合輪の内側に、周方向に沿って等間隔に３つのストッパピンが設けられ、前記ストッパピンの中心線が前記ベースの中心線に垂直し、
前記ベースの嵌合輪内に挿入される前記カバーの嵌合輪の端部に、環状開口が設けられ、前記カバーの嵌合輪の端部の外周面に、前記ストッパピンに対応して、前記カバーの中心方向に突出する３つの凹溝と、前記凹溝のぞれぞれと連続する除変溝とが設けられ、
前記カバーと前記ベースとを着脱可能に接続するように、前記ストッパピンが、前記凹溝に沿って前記除変溝の終端に当接するまでスライドできるように構成されている
ことを特徴とする請求項８又は９に記載のＬＥＤ照明器具。
【考案の詳細な説明】
【技術分野】
【０００１】
関連出願の交互引用
本出願は、２０１９年０９月３０日に中国専利局に提出された、出願番号が２０１９２１６５３２８１．５であり、名称が「レンズ板、光源ユニット及びシーリングライト」である中国出願に基づいて優先権を主張し、２０１９年０９月３０日に中国専利局に提出された、出願番号が２０１９２１６５３１６５．３であり、名称が「光源ユニット及びシーリングライト」である中国出願に基づいて優先権を主張し、２０１９年０９月３０日に中国専利局に提出された、出願番号が２０１９２１６５３９９６．０であり、名称が「光源ユニット用電気接続構造及びシーリングライト」である中国出願に基づいて優先権を主張し、２０１９年０９月３０日に中国専利局に提出された、出願番号が２０１９２１６５３３５３．６であり、名称が「ＬＥＤ照明器具」である中国出願に基づいて優先権を主張し、そのすべての内容が参照により本出願に組み込まれる。
【０００２】
本出願は、照明器具の技術分野に属し、より具体的に、レンズ板、光源ユニット、光源ユニット用電気接続構造及びＬＥＤ照明器具に関する。
【背景技術】
【０００３】
シーリングライトは、光源ユニットにより点灯するのが一般的である。光源ユニットは、光源基板と、光源基板に設置されるとともに光源基板を完全に覆い、両端がボルトを介してシーリングライトのベースに接続されるレンズ板とを含む。実践によって、考案者は、従来技術において少なくとも下記の問題があるという知見を得た。シーリングライトは、部品が多いため作業が多く、ねじ孔の径が小さいため位置合わせが容易でなく、工具を利用しなければ、光源ユニットとベースとを接続することができない。
【考案の概要】
【考案が解決しようとする課題】
【０００４】
本出願の実施例は、従来のシーリングライトにおける部品が多いため作業が多くなり、ねじ孔の径が小さいため位置合わせが容易でなく、工具を利用しなければ、光源ユニットとベースとを接続することができないような課題のうちの少なくとも１つを解決できるレンズ板、光源ユニット、光源ユニット用電気接続構造及びＬＥＤ照明器具を提供することを目的とする。
【課題を解決するための手段】
【０００５】
本出願に係るレンズ板は、両端にそれぞれ第１係止具が設置され、前記第１係止具は、前記レンズ板を離間してシーリングライトのベースと着脱可能に係止する係止部と、前記係止部と前記レンズ板を接続する接続部とを備え、前記接続部が、開口が下向きのＵ型構造である。
【０００６】
本出願に係るレンズ板は、少なくとも下記の有益効果を有する。従来技術と比べて、レンズ板の両端にそれぞれシーリングライトのベースと係止するための第１係止具を設置することによって、光源ユニットとベースの係止が実現される。光源ユニットとベースの係止接続によって、両者の接続がボルトを利用する必要がなく、シーリングライトの組立に必要な部品数、製造コスト及び製品の組立要求が低減した。そして、光源ユニットとベースの接続が、工具を利用せずに直接手作業により実施できるので、位置合わせが簡単になり、組立作業を減らし、組立効率を向上させることができる。さらに、光源ユニットとベースの複数回の着脱による光源ユニット及びベースの摩損が避けられ、光源ユニットの修理の便宜性を向上させ、シーリングライトの修理コストを低減することができる。
【０００７】
ここで、係止部と接続部により開口が下向きのＵ型の第１係止具が形成されたため、第１係止具は、大きな弾性を有し、折損が発生しにくいので、第１係止具の長寿命化を実現することができる。
【０００８】
接続部は開口が下向きのＵ型構造を利用することによって、天井に取り付けられたシーリングライトは、光源ユニットが損壊した場合、シーリングライトを天井から取り外し、ベースの外部から第１係止具の係止爪を押して第１係止具とベースを分離させる必要がなく、Ｕ型構造のレンズ板を離間する側の片持ちアームを内側に押して係止部とベースとを分離させることが可能であるため、シーリングライトの修理の便宜性をさらに向上させることができる。
【０００９】
好ましくは、本出願に係る光源ユニットが、光源基板と、前記光源基板と着脱可能に接続される前記レンズ板とを含む。
【００１０】
上記の技術案が少なくとも下記の有益効果を有する。従来技術と比べて、上記のレンズ板を使用する有益効果がレンズ板による有益効果と同様であるため、ここで説明を省略する。
【００１１】
好ましくは、本出願に係るシーリングライトは、第１貫通孔が設けられるベースと、前記光源ユニットとを含み、前記第１係止具が前記第１貫通孔を通過して前記ベースの外壁に係止される。
【００１２】
上記の技術案が少なくとも下記の有益効果を有する。従来技術と比べて、上記の光源ユニットを使用する有益効果が光源ユニットによる有益効果と同様であるため、ここで説明を省略する。
【００１３】
本出願に係る光源ユニットは、光源基板とレンズ板とを含み、
前記光源基板は、前記光源基板を貫通する第２貫通孔が両端にそれぞれ設けられ、２つの前記第２貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第２貫通孔とが一対一で対応する。
【００１４】
好ましくは、前記第２係止部が片持ちアームを含み、前記レンズ板に第３貫通孔が設けられ、前記片持ちアームの頂端が前記第３貫通孔を通過して前記レンズ板の頂面に設けられている接続具と接続され、前記接続具は、前記レンズ板の上方に位置する第１部と、前記第１部と前記レンズ板とを接続する第２部とを含み、前記片持ちアームが前記第１部の底部に設置される。
【００１５】
本出願に係る光源ユニットは、少なくとも下記の有益効果を有する。従来技術と比べて、光源基板に第２貫通孔を設け、レンズ板に第２貫通孔を通過して光源基板を係止する第２係止具を設置することによって、光源基板とレンズ板との係止が実現される。光源ユニットにおけるレンズ板又は光源基板を修理又は清掃するとき、レンズ板を光源基板から取り外し、光源ユニットを修理又は清掃した後、レンズ板と光源基板とを係止すればよい。
【００１６】
本出願に係る光源ユニット用電気接続構造は、複数の光源ユニットと複数のケーブルとを含み、
各前記光源ユニットの両端にそれぞれレセプタクルが設置され、
各前記ケーブルの両端にそれぞれ前記レセプタクルに挿着するプラグが設けられ、
前記光源ユニット同士が前記ケーブルを介して接続され、
前記レセプタクルに、前記プラグを挿入する係止溝が設けられ、前記係止溝の対向する２つの内側壁にそれぞれガイド溝が設けられ、前記プラグの２つの側面において、前記ガイド溝と対応する摺動可能なガイドブロックがそれぞれ設けられる。
【００１７】
好ましくは、前記レセプタクルの導電片の一端が前記光源ユニットの電極と溶接で接続され、前記レセプタクルの導電片の他端が前記プラグと挿着接続され、前記プラグに前記レセプタクルの導電片を挿入する差込孔が設けられている。
【００１８】
本出願に係る光源ユニット用電気接続構造は、少なくとも下記の有益効果を有する。従来技術と比べて、本出願に係る光源ユニット用電気接続構造は、１つの光源ユニットに２つのレセプタクルが設置され、両端にプラグが設置されるケーブルによって、組立時に、２つの光源ユニット同士をケーブルを介して接続すればよく、取り外して交換するときに、ケーブルのプラグをレセプタクルから抜き出せば、光源ユニットを交換することができるので、着脱が簡単になった。
【００１９】
本出願に係るＬＥＤ照明器具は、ベースと、光源ユニット群と、駆動ユニットと、カバーとを含み、
光源ユニット群は、着脱可能に前記ベースに取り付けられる複数の光源ユニットを含み、前記光源ユニットは、光源基板とレンズ板とを含み、前記光源基板の両端に前記光源基板を貫通する第１貫通孔がそれぞれ設けられ、２つの前記第１貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第１貫通孔とが一対一で対応し、
駆動ユニットは、前記ベースに取り付けられ、前記光源ユニットと前記駆動ユニットとが電気接続され、
カバーは、前記ベースと着脱可能に接続され、前記光源ユニット群及び前記駆動ユニットを遮るように構成されている。
【００２０】
好ましくは、前記光源ユニットを前記ベースに着脱可能に取り付けるように、前記光源ユニットの両端にそれぞれ係止ヘッドが設置され、前記ベースに、前記係止ヘッドを係止する係止孔が対応に設けられている。
【００２１】
好ましくは、前記ベースの嵌合輪の内側に周方向に沿って等間隔に３つのストッパピンが設けられ、前記ストッパピンの中心線が前記ベースの中心線に垂直し、
前記ベースの嵌合輪内に挿入される前記カバーの嵌合輪の端部に、環状開口が設けられ、前記カバーの嵌合輪の端部の外周面に、前記ストッパピンに対応して前記カバーの中心方向に突出する３つの凹溝と、前記凹溝のそれぞれと連続する除変溝とが設けられ、前記カバーと前記ベースとを着脱可能に接続するように、前記ストッパピンが、前記凹溝に沿って前記除変溝の終端に当接するまでスライドできるように構成されている。
【００２２】
本出願に係るＬＥＤ照明器具は、少なくとも下記の有益効果を有する。従来技術と比べて、本出願に係るＬＥＤ照明器具は、同寸法の汎用光源ユニットを製造することにより、光源ユニットを標準化させる。異なる仕様の照明器具のベースに対して、異なる数の光源ユニットを取り付けて要求仕様の光源ユニット群に構成することにより、相応な仕様の照明器具のパワー要求を満たすことができる。これによって、１種の光源ユニットだけを製造すればよいので、製造部品が単一で、部品の種類が減少し、在庫部品数及び在庫整理の煩雑な手間が減少し、材料の種類が減少し、金型が１種だけあればよい。したがって、製造するための原料コスト及び人的コストが大幅に低減し、利用が簡単である。
【００２３】
以下、本出願の実施例の技術案をより明瞭に説明するため、実施例又は従来技術の説明に必要な図面を簡単に説明する。説明する図面は、本出願の一部の実施例を示すものにすぎず、当業者は、発明能力を用いなくても、これらの図面に基づいてその他の図面を得ることが可能である。
【図面の簡単な説明】
【００２４】
【図１】本出願の実施例による光源ユニットの構成模式図である。
【図２】本出願の実施例による光源ユニットの正面視の構成模式図である。
【図３】本出願の実施例による光源ユニットの図２におけるＡ−Ａ線に沿う構成断面図である。
【図４】図３におけるＡ箇所の部分拡大図である。
【図５】本出願の実施例によるシーリングライト（カバーを除き）の正面視の構成断面図である。
【図６】本出願の実施例によるシーリングライトの図５におけるＢ−Ｂ線に沿う構成断面図である。
【図７】図６におけるＢ箇所の部分拡大図である。
【図８】図６の部分拡大図である。
【図９】本出願の実施例における光源ユニットと位置規制片との相対位置を示す構成模式図である。
【図１０】本出願の実施例による光源ユニット用電気接続構造の構成模式図である。
【図１１】図１０に示した光源ユニット用電気接続構造のプラグの第１構成模式図である。
【図１２】図１０に示した光源ユニット用電気接続構造のプラグの第２構成模式図である。
【図１３】図１０に示した光源ユニット用電気接続構造のプラグの第３構成模式図である。
【図１４】図１０に示した光源ユニット用電気接続構造のレセプタクルの第１構成模式図である。
【図１５】図１０に示した光源ユニット用電気接続構造のレセプタクルの第２構成模式図である。
【図１６】図１０に示した光源ユニット用電気接続構造のレセプタクルの第３構成模式図である。
【図１７】図１０に示した光源ユニット用電気接続構造のプラグとレセプタクルとの接続状態を示す構成模式図である。
【図１８】図１０に示した光源ユニット用電気接続構造のケーブルの構成模式図である。
【図１９】本出願の実施例によるＬＥＤ照明器具内に４つの光源ユニットが取り付けられた場合の内部構成模式図である。
【図２０】図１９に示したＬＥＤ照明器具の斜視の構成模式図である。
【図２１】図１９に示したＬＥＤ照明器具の背面視の構成模式図である。
【図２２】図１９に示したＬＥＤ照明器具のベースの内部構成模式図である。
【図２３】図２２に示したベースの斜視の構成模式図である。
【図２４】図１９に示したＬＥＤ照明器具の外観を示す斜視の構成模式図である。
【図２５】図２４に示したＬＥＤ照明器具のカバーの構成斜視図である。
【図２６】本出願の実施例によるＬＥＤ照明器具内に６つの光源ユニットが取り付けられた場合の内部構成模式図である。
【図２７】本出願の実施例によるＬＥＤ照明器具内に３つの光源ユニットが取り付けられた場合の内部構成模式図である。
【考案を実施するための形態】
【００２５】
本出願が解決しようとする技術的課題、技術案及び有益効果をより明瞭にするため、以下、図面及び実施例を用いて、本出願をより詳細に説明する。ここで説明される具体的な実施例は、本出願を解釈するためのものにすぎず、本出願を限定するものではない。
【００２６】
図１〜図９を参照しながら、本出願の実施例におけるレンズ板１１０を説明する。レンズ板１１０の両端にそれぞれ第１係止具１２０が設置されている。第１係止具１２０は、レンズ板１１０を離間してシーリングライトのベース２００と着脱可能に係止する係止部１２１と、係止部１２１とレンズ板１１０を接続する接続部１２２とを備える。接続部１２２は、開口が下向きのＵ型構造である。
【００２７】
使用する場合、ベース２００に、ベース２００を貫通し且つ第１係止具１２０を通す第１貫通孔２１０が開設される。シーリングライトを組み立てる際に、レンズ板１１０と光源基板１４０とを組み立てて光源ユニット１００に形成させ、そして、第１係止具１２０における係止爪を第１貫通孔２１０に通してベース２００の外壁と係止するように、光源ユニット１００をベース２００に設置する。
【００２８】
光源ユニット１００に故障があった場合、第１係止具１２０をベース２００から離脱するための作用力をかけて、光源ユニット１００とベース２００を分離することによって、光源ユニット１００における相応の部品又は光源ユニット１００全体を交換する。
【００２９】
従来技術と比べて、本出願の実施例によるレンズ板１１０は、レンズ板１１０の両端にそれぞれシーリングライトのベース２００と係止するための第１係止具１２０を設置することによって、光源ユニット１００とベース２００の係止が実現される。光源ユニット１００とベース２００の係止接続によって、両者の接続がボルトを利用する必要がなく、シーリングライトの組立に必要な部品数、製造コスト及び製品の組立要求が低減した。そして、光源ユニット１００とベース２００の接続が、工具を利用せずに直接手作業により実施できるので、位置合わせが簡単になり、組立作業を減らし、組立効率を向上させることができる。さらに、光源ユニット１００とベース２００の複数回の着脱による光源ユニット１００及びベース２００の摩損が避けられ、光源ユニット１００の修理の便宜性を向上させ、シーリングライトの修理コストを低減することができる。
【００３０】
ここで、係止部１２１と接続部１２２により開口が下向きのＵ型の第１係止具１２０が形成されたため、第１係止具１２０は、大きな弾性を有し、折損が発生しにくいので、第１係止具１２０の長寿命化を実現することができる。
【００３１】
接続部１２２は開口が下向きのＵ型構造を利用することによって、天井に取り付けられたシーリングライトは、光源ユニット１００が損壊した場合、シーリングライトを天井から取り外し、ベース２００の外部から第１係止具１２０の係止爪を押して第１係止具１２０とベース２００を分離させる必要がなく、Ｕ型構造のレンズ板１１０を離間する側の片持ちアームを内側に押して係止部１２１とベース２００とを分離させることが可能であるため、シーリングライトの修理の便宜性をさらに向上させることができる。
【００３２】
図１、図３及び図７に示すように、本出願に係るレンズ板１１０の具体的な実施形態として、接続部１２２の頂端がレンズ板１１０の頂端と同高さ又はそれより高いように形成されることが可能である。これによって、ユーザが必要に応じて接続部１２２に外力をかけることができる。
【００３３】
第１係止具１２０は、透明プラスチックにより製成され、レンズ板１１０と一体に成形され又は着脱可能に接続されるように構成されてもよい。第１係止具１２０とレンズ板１１０が着脱可能に接続される場合、第１係止具１２０が断裂したとき、便利に交換することができる。
【００３４】
本出願に係るレンズ板１１０の具体的な実施形態として、係止部１２１と接続部１２２が一体に成形される。
【００３５】
係止部１２１と接続部１２２が一体に成形されることにより、第１係止具１２０の構造全体の安定性を向上させ、長寿命化を実現することができる。
【００３６】
図１〜図６、図９に示すように、本出願に係るレンズ板１１０の具体的な実施形態として、レンズ板１１０に光源基板１４０を係止するための第２係止具１３０がさらに設置される。
【００３７】
使用する場合、光源基板１４０に、光源基板１４０を貫通し且つ第２係止具１３０を通す第２貫通孔１５０が開設される。光源ユニット１００を組み立てる際に、レンズ板１１０を、光源基板１４０を覆うように設置し、レンズ板１１０における第２係止具１３０と光源基板１４０における第１貫通孔２１０とを一対一で位置合わせし、さらに、第２係止具１３０が第２貫通孔１５０を通過して光源基板１４０と係止されるまでレンズ板１１０を光源基板１４０方向へ押圧し、又は光源基板１４０をレンズ板１１０方向へ押圧する。
【００３８】
具体的に、第２係止具１３０は、上記機能を実現できれば、片持ちアームフック型、リング型又はＵ型の係止具等を使用してもよい。
【００３９】
本出願に係るレンズ板１１０の具体的な実施形態として、第２係止具１３０とレンズ板１１０とが着脱可能に接続される。これによって、第２係止具１３０が断裂したとき、便利に交換することができる。
【００４０】
具体的に、第２係止具１３０とレンズ板１１０との着脱を素早く行うように、第２係止具１３０とレンズ板１１０とを挿着により接続してもよい。
【００４１】
本出願に係るレンズ板１１０の具体的な実施形態として、第２係止具１３０がＵ型の係止具である。これによって、レンズ板１１０と光源基板１４０との係止接続の安定性を保証できるとともに、第２係止具１３０自身が比較的に大きい弾性を有するため使用時に断裂が発生しにくく、レンズ板１１０及び光源ユニット１００の長寿命化と低い修理率を保証できる。
【００４２】
図２に示すように、本出願に係るレンズ板１１０の具体的な実施形態として、２つの第１係止具１２０を結ぶ線とレンズ板１１０の長手方向の中心線とが鋭角をなすように設けられる。
【００４３】
なお、ここでいう２つの第１係止具１２０を結ぶ線は、２つの第１係止具１２０の中心線の間の結び線を指している。
【００４４】
上記の案によれば、レンズ板１１０（又は光源ユニット１００）が第１係止具１２０を介してベース２００と係止された場合、レンズ板１１０（又は光源ユニット１００）は、長手方向の両端だけではなく、幅方向の両側においてもベース２００に安定に接続されるので、レンズ板１１０（又は光源ユニット１００）とベース２００の組立に必要な第１係止具１２０の数を減少させ、比較的に少ない材料でレンズ板１１０、光源ユニット１００及びシーリングライトの構造全体の安定を保証することができる。
【００４５】
２つの第１係止具１２０が同一の直線からずれて配置される場合に、光源ユニット１００がベース２００に係止されている状態で光源ユニット１００の受け力の小さい角が外力の作用で撓むようになることを避けるため、２つの第１係止具１２０を結ぶ線とレンズ板１１０の長手方向の中心線との夾角がレンズ板１１０の対角線と長手方向の中心線との夾角より小さいように設けられてもよい。
【００４６】
図１〜図４を参照しながら、本出願の実施例による光源ユニット１００を説明する。光源ユニット１００は、光源基板１４０と、光源基板１４０と着脱可能に接続されるレンズ板１１０とを有する。
【００４７】
従来技術と比べて、本出願の実施例による光源ユニット１００は、上記のレンズ板１１０を利用することにより、光源ユニット１００とベース２００の係止が実現される。これによって、両者の接続がボルトを利用する必要がなく、シーリングライトの組立に必要な部品数、製造コスト及び製品の組立要求が低減した。そして、光源ユニット１００とベース２００の接続が、工具を利用せずに直接手作業により実施できるので、位置合わせが簡単になり、組立作業を減らし、組立効率を向上させることができる。さらに、光源ユニット１００とベース２００の複数回の着脱による光源ユニット１００及びベース２００の摩損が避けられ、光源ユニット１００の修理の便宜性を向上させ、シーリングライトの修理コストを低減することができる。
【００４８】
図１に示すように、本出願に係る光源ユニット１００の具体的な実施形態として、光源基板１４０とレンズ板１１０は、長さが同一に設けられている。これによって、整然とした美観の光源ユニット１００のエッジを形成することできる。
【００４９】
図１〜図３に示すように、本出願に係る光源ユニット１００の具体的な実施形態として、光源ユニット１００とその他の光源ユニット１００、電源ケーブル又はシーリングライトにおける駆動ユニットとを容易に電気接続させるように、光源基板１４０の両端にそれぞれケーブルプラグと着脱可能に接続されるレセプタクルが設置される。
【００５０】
本出願の実施例は、シーリングライトをさらに提供する。図５〜図９に示すように、シーリングライトは、ベース２００と、ベース２００に設置される光源ユニット１００とを含む。ベース２００に第１貫通孔２１０が設けられている。
【００５１】
光源ユニット１００における第１係止具１２０は、第１貫通孔２１０を通過してベース２００の外壁と係止される。
【００５２】
本出願の実施例によるシーリングライトは、上記の光源ユニット１００を利用することにより、光源ユニット１００とベース２００の係止が実現される。これによって、両者の接続がボルトを利用する必要がなく、シーリングライトの組立に必要な部品数、製造コスト及び製品の組立要求が低減した。そして、光源ユニット１００とベース２００の接続が、工具を利用せずに直接手作業により実施できるので、位置合わせが簡単になり、組立作業を減らし、組立効率を向上させることができる。さらに、光源ユニット１００とベース２００の複数回の着脱による光源ユニット１００及びベース２００の摩損が避けられ、光源ユニット１００の修理の便宜性を向上させ、シーリングライトの修理コストを低減することができる。
【００５３】
図５及び図９に示すように、本出願に係るシーリングライトの具体的な実施形態として、ベース２００に、光源ユニット１００のベース２００に対する幅方向の位置を規制する位置規制具が設置されている。
【００５４】
第１係止具１２０を設置することにより、光源ユニット１００とベース２００との光源ユニット１００の長手方向における相対位置が規制され、位置規制具を設置することにより、光源ユニット１００とベース２００との光源ユニット１００の幅方向の相対位置が規制される。位置規制具と第１係止具１２０との組み合わせにより、光源ユニット１００とベース２００との複数方向の相対位置が規制されるため、シーリングライトの構成全体の安定性及び規則性を保証できる。
【００５５】
図５及び図９に示すように、本出願に係るシーリングライトの具体的な実施形態として、位置規制具は、ベース２００において対向するとともに間隔をあけて設置される２つの位置規制片３００を有し、２つの位置規制片３００間に光源ユニット１００を取り付ける取付領域が形成される。
【００５６】
２つの位置規制片３００の組み合わせにより、光源ユニット１００のベース２００との幅方向の相対位置が規制されるとともに、照明器具を組み立てるとき、ベース２００における多数の孔から第１貫通孔２１０を素早く判別できるので、シーリングライトの取り付け効率を向上させることができる。
【００５７】
具体的に、位置規制片３００は、ベース２００に垂直に設けられるとともにベース２００と一体に成形される。したがって、両者の安定な接続を保証でき、両者の着脱可能な接続と比べ、シーリングライトの加工又は組立作業を減らし、シーリングライトの組立効率を向上させることができる。
【００５８】
図５及び図９に示すように、本出願に係るシーリングライトの具体的な実施形態として、同一光源ユニット１００を固定するための２つの第１貫通孔２１０の間に間隔をあけて２つの位置規制具が設けられ、２つの位置規制具が光源ユニット１００の両端とベース２００との相対位置を規制するように配置されている。
【００５９】
光源ユニット１００が長いため、１つの光源ユニット１００を２つの位置規制具で規制することにより、光源ユニット１００の長手方向の中心線と２つの第１貫通孔２１０の中心を結ぶ線とが同一直線になり又は平行になるので、光源ユニット１００とベース２００との相対位置を保証できる。
【００６０】
なお、本実施例による光源ユニット１００は、上記の実施例によるレンズ板１１０を含む。本実施例は、上記の実施例及び図１〜図９に示すものをもとに、光源ユニット１００を提供する。
【００６１】
図１〜図４を参照しながら、本出願の実施例による光源ユニット１００を説明する。前記光源ユニット１００は、光源基板１４０と、光源基板１４０に位置するレンズ板１１０とを含む。
【００６２】
光源基板１４０の両端に、光源基板１４０を貫通する第２貫通孔１５０がそれぞれ設けられている。２つの第２貫通孔１５０を結ぶ線と光源基板１４０の長手方向の中心線とが鋭角をなすように設けられている。なお、ここでいう２つの第２貫通孔１５０を結ぶ線は、２つの第２貫通孔１５０の中心線の間の結び線を指している。
【００６３】
レンズ板１１０に、光源基板１４０を着脱可能に係止する第２係止具１３０が設置される。第２係止具１３０と第２貫通孔１５０とが一対一で対応している。
【００６４】
自然状態において、各係止爪１３２により構成された形状の外径が第２貫通孔１５０の内径より大きい。外力で、片持ちアーム１３１が弾性変形し、係止爪１３２が、第２貫通孔１５０を通過して光源基板１４０と係止するまで内側に変位するようになる。
【００６５】
組立時に、レンズ板１１０を光源基板１４０の上に設置し、第２係止具１３０と第２貫通孔１５０とを一対一で対応させるように両者の相対位置を調整し、そして、係止爪１３２が、第２貫通孔１５０を通過して光源基板１４０のレンズ板１１０を離間する側に到達して光源基板１４０と係止するまで内側に変位するように、片持ちアーム１３１に対して内側に向かう外力をかける。
【００６６】
レンズ板１１０又は光源基板１４０に部品の損壊があった場合、係止爪１３２が、第２貫通孔１５０を通過して光源基板１４０と分離するまで内側に変位するように、片持ちアーム１３１に対して内側に向かう外力をかける。
【００６７】
従来技術と比べて、本出願の実施例による光源ユニット１００は、光源基板１４０に第２貫通孔１５０を設け、レンズ板１１０に第２貫通孔１５０を通過して光源基板１４０と係止する第２係止具１３０を設置することによって、光源基板１４０とレンズ板１１０との係止が実現される。光源ユニット１００におけるレンズ板１１０又は光源基板１４０を修理又は清掃する場合、レンズ板１１０を光源基板１４０から取り外し、光源ユニット１００を修理又は清掃した後、レンズ板１１０と光源基板１４０とを係止すればよい。
【００６８】
ここで、２つの第２貫通孔１５０を結ぶ線は、光源基板１４０の長手方向に対して鋭角をなすように設けられている。したがって、レンズ板１１０が第２係止具１３０を介して光源基板１４０と係止した場合、長手方向の両端だけではなく、幅方向の両側においても安定に接続されるので、光源ユニット１００に必要な第２係止具１３０の数を低減させ、比較的に少ない材料で光源ユニット１００の構造全体の安定を保証することができる。
【００６９】
また、上記の案によれば、光源基板１４０とレンズ板１１０との組立にボルトを利用する必要がないので、光源ユニット１００の部品数が低減した。そして、光源基板１４０とレンズ板１１０とが係止接続となるため、組立が容易になり、コストが低く、複数回の着脱によるレンズ板１１０及び／又は光源基板１４０の損壊を避けることができる。また、光源ユニット１００の一部だけ故障になった場合、光源基板１４０とレンズ板１１０とを分離し、故障になった部品だけを交換すればよく、光源ユニット１００全体を交換する必要がないので、光源ユニット１００の修理コストを低減することができる。
【００７０】
図１〜図４に示すように、本出願に係る光源ユニット１００の具体的な実施形態として、各第２係止具１３０のそれぞれは、周方向において間隔をあけてレンズ板１１０に設けられる複数の片持ちアーム１３１と、片持ちアーム１３１と一対一で対応し、片持ちアーム１３１の底部に設けられる係止爪１３２とを含み、係止爪１３２が第２貫通孔１５０を通過して光源基板１４０の底面に係止されるように構成されている。
【００７１】
具体的に、片持ちアーム１３１は、一定の展延性を有するプラスチックにより製造されることが可能である。係止爪１３２は、三角ブロック、台形ブロック等であってもよい。
【００７２】
さらに、光源基板１４０とレンズ板１１０が係止している状態で光源基板１４０又はレンズ板１１０の受け力の小さい角が外力の作用で撓むようになることを避けるため、２つの第２貫通孔１５０を結ぶ線と光源基板１４０の長手方向の中心線との夾角が光源基板１４０の対角線と長手方向の中心線との夾角より小さいように設けられている。
【００７３】
図３及び図４に示すように、本出願に係る光源ユニット１００の具体的な実施形態として、２つの片持ちアーム１３１が対向に設けられ、２つの片持ちアーム１３１の間に２つの片持ちアーム１３１の弾性変形を許容する空間が形成されている。
【００７４】
片持ちアーム１３１を２つ設けることによって、レンズ板１１０と光源基板１４０とを安定に係止させるとともに、第２係止具１３０を構成する部品を低減させる。そして、係止させるときに各片持ちアーム１３１に対して同時に力をかけることが容易になるため、レンズ板１１０と光源基板１４０とを素早く係止又は分離させることができる。
【００７５】
図３及び図４に示すように、本出願に係る光源ユニット１００の具体的な実施形態として、レンズ板１１０に第３貫通孔１７０が設けられ、片持ちアーム１３１の頂端が第３貫通孔１７０を通過してレンズ板１１０の頂面に設けられている接続具１６０と接続される。接続具１６０は、レンズ板１１０の上方に位置する第１部１６１と、第１部１６１とレンズ板１１０を接続する第２部１６２とを含み、片持ちアーム１３１が第１部１６１の底部に設置される。
【００７６】
第１部１６１がレンズ板１１０の上方に位置し、片持ちアーム１３１が第１部１６１の底部に設けられ、片持ちアーム１３１の上部がレンズ板１１０の上方まで延出できるので、レンズ板１１０を光源基板１４０から取り外すとき、光源ユニット１００を照明器具のベース２００から取り外す必要がなく、直接片持ちアーム１３１のレンズ板１１０の上方に延出している部分に対して力をかけて片持ちアーム１３１を内側に寄せさせ、そして第２係止具１３０を第２貫通孔１５０から抜き出すことによって、レンズ板１１０と光源基板１４０の分離を実現することができる。
【００７７】
具体的に、第３貫通孔１７０の径が第２貫通孔１５０の径より大きい。２つの第２部１６２が第１部１６１の長手方向の両端に設けられ、２つの第２部１６２と第１部１６１とにより門型の接続具１６０が構成され、片持ちアーム１３１が第１部１６１の長手方向の中間部に位置し、第３貫通孔１７０の内側壁と接触しないように構成される。
【００７８】
第１部１６１の長手方向と片持ちアーム１３１の幅方向が平行になる。
【００７９】
本出願に係る光源ユニット１００の具体的な実施形態として、係止具１３０を設置することで光源ユニット１００の発光効果にマイナス影響を与えることを避けるように、片持ちアーム１３１及び接続具１６０は、透明部品からなり、具体的に透明プラスチック製のものからなる。
【００８０】
本出願に係る光源ユニット１００の具体的な実施形態として、各片持ちアーム１３１の第２貫通孔１５０の側壁に近い面において、第２係止具１３０と光源基板１４０が係止しているときに第２貫通孔１５０の側壁に当接する弾性部品が設置されている。弾性部品を設置することにより、第２係止具１３０と光源基板１４０が係止しているとき、第２係止具１３０と第２貫通孔１５０とが同軸になるので、光源基板１４０とレンズ板１１０の接続の安定性をさらに確保することができる。
【００８１】
図１に示すように、本出願に係る光源ユニット１００の具体的な実施形態として、接続具１６０は、接続具１６０の異なる部品間の接続の安定性を保証し、長寿命化を図るため、一体に成型されるものに形成される。
【００８２】
図３及び図６に示すように、本出願に係る光源ユニット１００の具体的な実施形態として、片持ちアーム１３１と接続具１６０とが一体に成形されるとともに、接続具１６０とレンズ板１１０とが挿着により接続される。
【００８３】
接続具１６０とレンズ板１１０との挿着接続により、接続具１６０及び第２係止具１３０とレンズ板１１０とが着脱可能に接続されるので、第２係止具１３０が損壊した場合に容易に交換できる。また、第２係止具１３０と接続具１６０が個別に量産でき、要求に応じて適当な仕様の第２係止具１３０を選択してレンズ板１１０と組み立てることができるので、光源ユニット１００の生産コストをさらに低減できる。
【００８４】
図１、図２及び図６に示すように、本出願に係る光源ユニット１００の具体的な実施形態として、レンズ板１１０は、板本体１１２と、板本体１１２に間隔をあけて設置される２列のレンズ１１３とを含み、第２係止具１３０が２列のレンズ１１３の間に位置する。
【００８５】
第２係止具１３０が２列のレンズ１１３の間に位置するので、第２係止具１３０のレンズ板１１０の上方まで延出する部分がレンズ１１３から射出した光線を遮ることが避けられ、光源ユニット１００の発光効果が第２係止具１３０に影響されないとことを保証できる。
【００８６】
図３〜図６に示すように、本出願に係る光源ユニット１００の具体的な実施形態として、第１部１６１の頂端がレンズ板１１０の頂端とが同高さ又はそれより低いように形成されるので、接続具１６０及び第２係止具１３０を設置することでレンズ１１３から射出した光線を遮ることがさらに避けられ、光源ユニット１００の発光効果が第２係止具１３０に影響されないことを保証できる。
【００８７】
図３及び図６に示すように、本出願に係る光源ユニット１００の具体的な実施形態として、光源基板１４０とレンズ板１１０との間に粘着テープ層が設置されている。
【００８８】
粘着テープ層を設置することにより、光源基板１４０とレンズ板１１０との接続の安定性をさらに向上させ、係止している光源基板１４０とレンズ板１１０との相対移動が避けられ、光源ユニット１００の発光効果の安定性を保証できる。また、光源基板１４０とレンズ板１１０とが粘着テープにより接続されるので、両者の分離を妨げない。
【００８９】
具体的に、レンズ板１１０又は光源基板１４０の外周に粘着テープを貼り付け、レンズ板１１０と光源基板１４０とが係止されるとき、係止するとともに粘着テープにより粘着する。
【００９０】
本出願の実施例は、シーリングライトをさらに提供する。図５〜図７に示すように、シーリングライトは、ベース２００と、ベース２００に設置される光源ユニット１００とを含む。
【００９１】
本出願の実施例によるシーリングライトは、上記の光源ユニット１００を利用し、光源基板１４０に第２貫通孔１５０を設け、レンズ板１１０に第２貫通孔１５０を通過して光源基板１４０と係止する第２係止具１３０を設置することによって、光源基板１４０とレンズ板１１０との係止が実現される。光源ユニット１００におけるレンズ板１１０又は光源基板１４０を修理又は清掃する場合、レンズ板１１０を光源基板１４０から取り外し、光源ユニット１００を修理又は清掃した後、レンズ板１１０と光源基板１４０とを係止すればよい。
【００９２】
また、上記の案によれば、光源基板１４０とレンズ板１１０との組立にボルトを利用する必要がないので、光源ユニット１００の部品数を低減させた。また、光源基板１４０とレンズ板１１０とが係止接続となるため、組立が容易になり、コストが低く、複数回の着脱によるレンズ板１１０及び／又は光源基板１４０の損壊を避けることができる。
【００９３】
図６及び図８に示すように、本出願に係るシーリングライトの具体的な実施形態として、ベース２００に係止爪１３２を収容する収容部４００が設けられている。
【００９４】
収容部４００を設置することにより、光源ユニット１００は、ベース２００に取り付けらているとき、第２係止具１３０の設置でベース２００から離れることなく、ベース２００に安定に密接するので、第２係止具１３０を設置することで光源ユニット１００とベース２００との接続の安定性に影響することが避けられる。
【００９５】
なお、本実施例による光源ユニット１００の電気接続構造は、上記の実施例による光源ユニット１００を電気接続することに用いられる具体的な機構である。本実施例は、上記の実施例及び図１〜図９をもとに、光源ユニット１００の電気接続構造を提供する。
【００９６】
図１０〜図１８を参照しながら、本出願に係る光源ユニット１００の電気接続構造を説明する。前記光源ユニット１００の電気接続構造は、複数の光源ユニット１００と複数のケーブル４とを含み、各前記光源ユニット１００の両端にそれぞれレセプタクル５が設置され、各前記ケーブル４の両端にそれぞれ前記レセプタクル５に挿着するプラグ３が設置され、前記光源ユニット１００同士が前記ケーブル４を介して接続される。ここで、前記レセプタクル５に前記プラグ３が挿入される係止溝５１が設けられ、前記係止溝５１の対向する２つの内側壁にそれぞれガイド溝５４が設けられ、前記プラグ３の２つの側面において、前記ガイド溝５４と対応する摺動可能なガイドブロック３２がそれぞれ設けられている。
【００９７】
従来技術と比べて、本出願に係る光源ユニット１００の電気接続構造は、１つの光源ユニット１００に２つのレセプタクル５が設置され、組立時に、両端にプラグ３が設置されるケーブル４によって、２つの光源ユニット１００同士をケーブル４を介して接続する。取り外して交換するときに、ケーブル４のプラグ３をレセプタクル５から抜き出せば、光源ユニット１００を交換することができるので、着脱が簡単になる。
【００９８】
本実施例において、プラグ３をレセプタクル５内に挿入するように構成されたので、接続の確実性及び安全性を向上させることができる。ガイド溝５４を設けることにより、プラグ３の挿入がガイドされるので、挿着の不具合が避けられ、挿着の便宜性及び安全性を向上させた。
【００９９】
本実施例において、ガイドブロック３２は、長尺状ブロックであり、プラグ３と一体に成型される。
【０１００】
本出願の実施例の一実施形態として、図１１〜図１５に示すように、前記係止溝５１の対向する２つの内側壁に位置規制溝５３がさらに設けられ、前記プラグ３に前記位置規制溝５３と係止する位置規制弾性片３１が設けられる。本実施例において、プラグ３をレセプタクル５に挿入するとき、位置規制弾性片３１が、押圧されて位置規制溝５３内に入り、そして元に戻る。これによって、プラグ３に対する位置規制が実現され、プラグの離脱を防ぐことができる。プラグ３を抜き出すとき、少し力を入れてプラグ３を抜き、位置規制弾性片３１が押圧され、プラグ３がレセプタクル５の係止溝５１から抜き出される。プラグの側面に位置規制弾性片を収容するガイド溝が設置され、位置規制弾性片の中間部が突起し、両端がガイド溝内へ進入する。位置規制弾性片が押圧されたとき、位置規制弾性片の両端がガイド溝内に進入できる。
【０１０１】
本出願の実施例の一実施形態として、図１１〜図１５に示すように、前記位置規制弾性片３１が前記ガイドブロック３２の上方に位置している。対応する位置規制溝５３が前記係止溝５１の溝口の両側に位置している。
【０１０２】
本出願の実施例の一実施形態として、図１３〜図１５に示すように、前記係止溝５１の前記レセプタクル５の導電片５２を離間する端に、前記位置規制弾性片３１を挿入するためのガイド傾斜面が設けられている。ガイド傾斜面を設けることにより、位置規制弾性片３１が係止溝５１を出入るとき、位置規制弾性片３１が徐々に圧縮されるので、プラグ３の挿入に寄与できる。
【０１０３】
本実施例において、図１３、図１７及び図１８に示すように、プラグ３のレセプタクル５の係止溝５１の溝底に接触する面に、第１階段面、第２階段面及び第３階段面が順に設けられる。そのうち、第１階段面が係止溝５１の溝底と密着するように設けられている。第２階段面が、係止溝５１の溝底の外に位置し、一部が係止溝５１内に入り、一部が係止溝５１の外へはみ出し、係止溝５１の溝底からずれ、プラグ３のレセプタクル５への挿入深さを規制できるように設けられている。第３階段面が、光源基板からずれるように設けられている。階段状に形成されることによって、プラグ３の底部とレセプタクル５との完全密着が避けられるとともに、挿着部位に対する放熱の役割も果たしている。
【０１０４】
本実施例において、図１６に示すように、レセプタクル５の光源ユニット１００の基板と接触する面に滑り止め突起５５が設けられている。滑り止め突起５５が支持及び放熱の役割も果たしている。
【０１０５】
本実施例において、レセプタクル５にプラグ３を挿入するための盲孔を設けてもよい。プラグ３を盲孔に挿入すると、盲孔内の導電片５２と接続するようになる。盲孔は、挿着の部位を保護する役割を果たしている。
【０１０６】
本出願の実施例の一実施形態として、図１０に示すように、前記レセプタクル５の上方に保護カバー２が設けられ、前記保護カバー２が前記光源ユニット１００に固定される。保護カバー２は、プラグ３とレセプタクル５との挿着の部位を保護する役割を果たしている。
【０１０７】
本実施例において、プラグ３、レセプタクル５及び保護カバー２は、難燃材で製造され、通常のプラグ３及びレセプタクル５の材質を利用すればよく、例えば、ＰＣ（ポリカーボネート樹脂）や、ナイロン６６、ユリア樹脂、ＡＢＳ（アクリロニトリル−ブタジエン−スチレン共重合体は、アクリロニトリル、ブタジエン及びスチレンからなる三元共重合体であり、英語表記がａｃｒｙｌｏｎｉｔｒｉｌｅ−ｂｕｔａｄｉｅｎｅ−ｓｔｙｒｅｎｅ  ｃｏｐｏｌｙｍｅｒとなり、ＡＢＳと略称する）等が挙げられる。
【０１０８】
本出願の実施例の一実施形態として、図１０〜図１５に示すように、前記レセプタクル５の導電片５２の一端が前記光源ユニット１００の電極と溶接で接続され、前記レセプタクル５の導電片５２の他端が前記プラグ３に挿着され、前記プラグ３に前記レセプタクル５の導電片５２を挿入する差込孔３３が設けられている。本実施例において、導電片５２をプラグ３に設け、レセプタクル５に導電片５２を挿入する差込孔３３を設けるように構成されてもよい。
【０１０９】
本出願の実施例の一実施形態として、図１０〜図１３に示すように、前記光源ユニット１００は、光源基板１４０とレンズ板１１０を含む。光源基板１４０の両端に前記光源基板１４０を貫通する第１貫通孔がそれぞれ設けられている。２つの前記第１貫通孔を結ぶ線と前記光源基板１４０の長手方向の中心線とが鋭角をなすように設けられる。前記レセプタクル５は、前記光源基板１４０の両端に設置されるとともに前記第１貫通孔の外側に位置する。レンズ板１１０に前記光源基板１４０と着脱可能に係止する第２係止具１３０が設置されている。前記第２係止具１３０と前記第１貫通孔とが一対一で対応している。光源基板１４０に第１貫通孔を設け、レンズ板１１０に第１貫通孔を通過して光源基板１４０と係止する第２係止具１３０を設置することによって、光源基板１４０とレンズ板１１０との係止が実現される。光源ユニット１００におけるレンズ板１１０又は光源基板１４０を修理又は清掃する場合、レンズ板１１０を光源基板１４０から取り外し、光源ユニット１００を修理又は清掃した後、レンズ板１１０と光源基板１４０とを係止すればよいので、着脱が簡単になった。
【０１１０】
ここで、２つの第１貫通孔を結ぶ線と光源基板１４０の長手方向とが鋭角をなすように設けられる。したがって、レンズ板１１０が第２係止具１３０を介して光源基板１４０と係止した場合、長手方向の両端だけではなく、幅方向の両側においても安定に接続され、光源ユニット１００に必要な第２係止具１３０の数を低減させ、比較的に少ない材料で光源ユニット１００の構造全体の安定を保証することができる。
【０１１１】
また、上記の案によれば、光源基板１４０とレンズ板１１０との組立にボルトを利用する必要がないので、光源ユニット１００の部品数を減少させた。そして、光源基板１４０とレンズ板１１０とが係止接続となるため、組立が容易になり、コストが低く、複数回の着脱によるレンズ板１１０及び／又は光源基板１４０の損壊を避けることができる。また、光源ユニット１００の一部だけ故障になった場合、光源基板１４０とレンズ板１１０とを分離し、故障になった部品だけを交換すればよく、光源ユニット１００全体を交換する必要がないので、光源ユニット１００の修理コストを低減することができる。
【０１１２】
本出願の実施例の一実施形態として、図１０〜図１３に示すように、各前記第２係止具１３０のそれぞれは、周方向において間隔をあけて前記レンズ板１１０に設けられる複数の片持ちアーム１３１と、前記片持ちアーム１３１と一対一で対応し、前記片持ちアーム１３１の底部に設けられる係止爪とを含み、前記係止爪が前記第１貫通孔を通過して前記光源基板１４０の底面に係止される。ここで、片持ちアーム１３１は、一定の展延性を有するプラスチックにより製造されることが可能である。係止爪１３２は、三角ブロック、台形ブロック等であってもよい。
【０１１３】
本出願の実施例の一実施形態として、図１０〜図１３に示すように、２つの前記片持ちアーム１３１が対向に設けられ、２つの前記片持ちアーム１３１の間に２つの前記片持ちアームの弾性変形を許容する空間が形成されている（図４を参照）。これによって、係止爪が貫通孔を通過して光源基板１４０の底面と係止することに寄与できる。
【０１１４】
本出願は、前記光源ユニット用電気接続構造を含むシーリングライトを提供する。本出願に係る光源ユニット用電気接続構造を利用するシーリングライトは、組立時に、取付時間を短縮し、組立効率を上げることができ、交換するとき、着脱が簡単になり、手間がかからない。該シーリングライトは、図１９〜図２７に示すように、ベース７と、光源ユニット群と、駆動ユニット６と、カバー１２とを含む。光源ユニット群は、着脱可能に前記ベース７に取り付けられる複数の光源ユニット１００を含む。駆動ユニット６が前記ベース７に取り付けられ、前記光源ユニット１００と電気接続される。カバー１２は、前記ベース７と着脱可能に接続され、前記光源ユニット群及び前記駆動ユニット６を遮るように構成される。ここで、光源ユニット同士がケーブルを介して接続され、ケーブルの両端にプラグが設置され、光源ユニットの両端にレセプタクルが設置される。同寸法の汎用光源ユニット１００を製造することにより、光源ユニット１００を標準化させる。異なる仕様のシーリングライトのベース７に対して、異なる数の光源ユニット１００を取り付けて要求仕様の光源ユニット群に構成することにより、相応な仕様のシーリングライトのパワー要求を満たすことができる。これによって、１種の光源ユニット１００だけを製造すればよいので、製造部品が単一で、部品の種類が減少し、在庫部品数及び在庫整理の煩雑な手間が減少し、材料の種類が減少し、金型が１種だけあればよい。したがって、製造するための原料コスト及び人的コストを大幅に低減し、利用が簡単である。
【０１１５】
例えば、図２７に示すように、仕様が３００ｍｍであるシーリングライトは、３つの光源ユニット１００を使用し、図１９に示すように、４００ｍｍのシーリングライトは、ベース７に４つの光源ユニット１００が取り付けられ、図２６に示すように、５００ｍｍのシーリングライトは、６つの光源ユニット１００を使用する等になる。ここで、製造するとき、各光源ユニット１００のパワーが一定であるため、シーリングライトの仕様に応じて、光源ユニット１００の寸法及びパワーを適宜に設計することができる。各光源ユニット１００と駆動ユニット６とが直接接続されてもよく、直列接続された光源ユニット１００と駆動ユニット６とが接続されてもよい。図２１におけるＡ箇所は１つの光源ユニットの取付位置を示している。
【０１１６】
ここで、図１９〜図２２に示すように、前記光源ユニット１００の前記ベース７への着脱可能な取り付けは、前記光源ユニット１００の両端にそれぞれ係止ヘッド９が設置され、前記ベース７に、前記係止ヘッド９を係止する係止孔１０が対応に設けられるように実現される。光源ユニット１００が汎用な寸法を有するものであるため、異なる仕様のシーリングライトに応じて、ベース７において係止孔１０を設ければよい。これによって、取り付けが簡単になり、組立及びそのあとの修理・交換が容易になるので、工具を使用する必要がなく、手作業でも取付、交換することが可能である。また、前記光源ユニット１００の前記ベース７への着脱可能な取り付けは、ボルト接続で実現されてもよい。すなわち、光源ユニット１００の両端にねじ孔又は貫通孔を設け、ベース７に、対応する貫通孔又はねじ孔を設け、ボルトを介して接続するように実現されてもよい。
【０１１７】
ここで、図２０〜図２２に示すように、前記ベース７に、取り付けられる前記光源ユニット１００の位置を決めるストッパー１１がさらに設けられ、前記ストッパー１１が２つの前記係止孔１０の間に位置している。ベース７に設けられ且つ光源ユニット１００の位置を決めるストッパー１１は、係止孔１０と合わせて、光源ユニット１００の位置ずれを防止する。これによって、位置決め及び接続の確実性を向上させ、長時間の使用に確実な保証を提供することができる。
【０１１８】
図２０〜図２２に示すように、１つの前記光源ユニット１００に対して少なくとも２つの前記ストッパー１１が設けられ、２つの前記ストッパー１１がそれぞれ前記光源ユニット１００の対向する両側に設けられている。本実施例において、光源ユニット１００の位置ずれが発生しないように、光源ユニット１００の周りで位置決めを行い、１つの光源ユニット１００に対して光源ユニット１００の両側に対称に４つのストッパー１１が設けられている。本実施例において、ストッパー１１の形成は、直接ベース７を利用し、ベース７において切り起こしを行って、光源ユニット１００を取り付ける方向へ垂直に曲げるように行わればよい。また、ベース７に形成された貫通孔は、放熱の役割を果たしている。前記カバー１２を前記ベース７に着脱可能に接続する構成は、以下のようになる。前記ベース７の嵌合輪の内側に周方向に沿って等間隔に３つのストッパピン８が設けられ、前記ストッパピン８の中心線が前記ベース７の中心線に垂直する。前記カバー１２の嵌合輪の端部に、前記ベース７の嵌合輪内に挿入する環状開口が設けられている。前記環状開口の外周面に、ストッパピン８に対応し且つ前記カバー１２の中心方向に突出する３つの凹溝１４と、前記凹溝１４のぞれぞれと連続する除変溝１３とが設けられている。取り付けるとき、前記カバー１２の凹溝１４を前記ストッパピン８に対して位置合わせし、そして前記ストッパピン８を前記凹溝１４においてスライドさせて前記除変溝１３に進入させ、前記ストッパピン８が前記除変溝１３の終端に当接するように、前記カバー１２を回す。カバー１２を取り付けるとき、カバー１２を回すだけで取り付けることができるので、取り付けが簡単になり、修理・交換が容易である。ここで、カバー１２の中心から除変溝１３までの直径は、凹溝１４を離間する方向から逓減する。
【０１１９】
なお、本実施例によるＬＥＤ照明器具は、上記の実施例によるシーリングライトの具体的な例である。上記の実施例及び図１〜図１８をもとに、本実施例は、ＬＥＤ照明器具を提供する。
【０１２０】
図１〜図２７を参照しながら、本出願に係るＬＥＤ照明器具を説明する。前記ＬＥＤ照明器具は、ベース７と、光源ユニット群と、駆動ユニット６と、カバー１２とを含む。光源ユニット群は、着脱可能に前記ベース７に取り付けられる複数の光源ユニット１００を含む。前記光源ユニット１００は、光源基板１４０とレンズ板１１０とを含む。前記光源基板１４０の両端に前記光源基板１４０を貫通する第１貫通孔がそれぞれ設けられ、２つの前記第１貫通孔を結ぶ線と前記光源基板１４０の長手方向の中心線とが鋭角をなすように設けられる。前記レンズ板１１０に、前記光源基板１４０と着脱可能に係止する第２係止具１３０が設置され、前記第２係止具１３０と前記第１貫通孔とが一対一で対応する。駆動ユニット６が前記ベース７に取り付けられ、前記光源ユニット１００と前記駆動ユニット６とが電気接続される。カバー１２は、前記ベース７と着脱可能に接続され、前記光源ユニット群及び前記駆動ユニット６を遮るように構成される。
【０１２１】
従来技術と比べて、本出願に係るＬＥＤ照明器具は、同寸法の汎用光源ユニット１００を製造することにより、光源ユニット１００を標準化させる。異なる仕様の照明器具のベース７に対して、異なる数の光源ユニット１００を取り付けて要求仕様の光源ユニット群に構成することにより、相応な仕様の照明器具のパワー要求を満たすことができる。これによって、１種の光源ユニット１００だけを製造すればよいので、製造部品が単一で、部品の種類が減少し、在庫部品数及び在庫整理の煩雑な手間が減少し、材料の種類が減少し、金型が１種だけあればよい。したがって、製造するための原料コスト及び人的コストが大幅に低減し、利用が簡単である。
【０１２２】
以下、異なる仕様の照明器具を利用して本実施例を詳細に説明する。例えば、仕様が３００ｍｍである照明器具は、３つの光源ユニット１００を使用し、図１に示すように、４００ｍｍの照明器具は、ベース７に４つの光源ユニット１００が取り付けられ、５００ｍｍの照明器具は、６つの光源ユニット１００を使用する等になる。ここで、製造するとき、各光源ユニット１００のパワーが一定であるため、照明器具の仕様に応じて、光源ユニット１００の寸法及びパワーを適宜に設計することができる。各光源ユニット１００と駆動ユニット６とが直接接続されてもよく、直列接続された光源ユニット１００と駆動ユニット６とが接続されてもよい。図２１におけるＡ箇所及び図２２におけるＢ箇所は、それぞれ１つの光源ユニットの取付位置を示している。
【０１２３】
本実施例において、２つの第１貫通孔を結ぶ線とは、２つの第１貫通孔の中心線の間の結び線である。
【０１２４】
ここで、２つの第１貫通孔を結ぶ線と光源基板１４０の長手方向とが鋭角をなすように設けられる。したがって、レンズ板１１０が第２係止具１３０を介して光源基板１４０と係止した場合、長手方向の両端だけではなく、幅方向の両側においても安定に接続され、光源ユニット１００に必要な第２係止具１３０の数を低減させ、比較的に少ない材料で光源ユニット１００の構造全体の安定を保証することができる。
【０１２５】
また、上記の案によれば、光源基板１４０とレンズ板１１０との組立にボルトを利用する必要がないので、光源ユニット１００の部品数を減少させた。そして、光源基板１４０とレンズ板１１０とが係止接続となるため、組立が容易になり、コストが低く、複数回の着脱によるレンズ板１１０及び／又は光源基板１４０の損壊を避けることができる。
【０１２６】
また、光源ユニット１００の一部だけ故障になった場合、光源基板１４０とレンズ板１１０とを分離し、故障になった部品だけを交換すればよく、光源ユニット１００全体を交換する必要がないので、光源ユニット１００の修理コストを低減することができる。
【０１２７】
具体的に、各前記係止具のそれぞれは、周方向において間隔をあけて前記レンズ板に設けられる複数の片持ちアーム１３１と、前記片持ちアーム１３１と一対一で対応し、前記片持ちアームの底部に設けられる係止爪とを含み、前記係止爪が前記第１貫通孔を通過して前記光源基板１４０の底面に係止されるように構成されている。片持ちアーム１３１は、一定の展延性を有するプラスチックにより製造されることが可能である。係止爪は、三角ブロック、台形ブロック等であってもよい。
【０１２８】
本出願に係るＬＥＤ照明器具の具体的な実施形態として、前記光源ユニット１００の前記ベース７への着脱可能な取り付けは、前記光源ユニット１００の両端にそれぞれ係止ヘッド９が設置され、前記ベース７に、前記係止ヘッド９を係止する係止孔１０が対応に設けられるように実現される。光源ユニット１００が汎用な寸法を有するものであるため、異なる仕様の照明器具に応じて、ベース７において係止孔１０を設ければよい。これによって、取り付けが簡単になり、組立及びそのあとの修理・交換を容易になるので、工具を使用する必要がなく、手作業でも取付、交換することが可能である。
【０１２９】
本実施例において、前記光源ユニット１００の前記ベース７への着脱可能な取り付けは、ボルト接続で実現されてもよい。すなわち、光源ユニット１００の両端にねじ孔又は貫通孔を設け、ベース７に、対応する貫通孔又はねじ孔を設け、ボルトを介して接続するように実現されてもよい。
【０１３０】
本出願の実施例の一実施形態として、前記係止ヘッド９は、前記光源ユニット１００の基板と固定接続する接続部と、前記接続部の自由端に設けられる係止突起９１とを含む。前記係止突起９１は、前記接続部にしたがって前記係止孔１０を通過したあと、前記係止孔１０の側壁に係止される。本実施例において、接続部が薄片構造であり、対応する係止孔１０が角形構造である。係止ヘッド９が円形構造であってもよく、係止突起９１が係止ヘッド９の自由端に設けられる。ここでいう自由端とは、係止ヘッド９の光源ユニット１００を離間する端を指している。
【０１３１】
本出願の実施例の一実施形態として、前記接続部は、Ｕ型構造であり、固定端が前記光源ユニット１００の基板の前記ベース７を離間する表面に接続され、自由端が前記光源ユニット１００の基板よりも突出するように延在し、前記係止突起９１が前記接続部の前記光源ユニット１００を離間する側に設けられている。接続部は、Ｕ型構造であり、一定の押圧弾性を有するので、係止孔１０と容易に係止でき、係止の確実性を向上させることができる。
【０１３２】
本出願の実施例の一実施形態として、前記係止突起９１に、前記係止孔１０を容易に通過するためのガイド傾斜面と、係止孔１０の周縁に係止される係止面とが設けられている。係止突起９１に設けられたガイド傾斜面によって、係止突起９１が係止孔１０を通過することが容易になった。また、係止突起９１が係止孔１０を通過したあと、係止面が係止孔１０の周縁に接触し、係止面により、接触面積が増大したので、係止の確実性を向上させ、抜け出しが防止される。
【０１３３】
本出願の実施例の一実施形態として、図２０、図２３〜図２５に示すように、前記ベース７に、取り付けられる前記光源ユニット１００の位置を決めるストッパー１１がさらに設けられ、前記ストッパー１１が２つの前記係止孔１０の間に位置している。ベース７に設けられ且つ光源ユニット１００の位置を決めるストッパー１１は、係止孔１０と合わせて、光源ユニット１００の位置ずれを防止する。これによって、位置決め及び接続の確実性を向上させ、長時間の使用に確実な保証を提供することができる。
【０１３４】
本出願の実施例の一実施形態として、図２３〜図２５に示すように、１つの前記光源ユニット１００に対応して少なくとも２つの前記ストッパー１１が設けられ、２つの前記ストッパー１１がそれぞれ前記光源ユニット１００の対向する両側に設けられている。本実施例において、光源ユニット１００の位置ずれが発生しないように、光源ユニット１００の周りで位置決めを行い、１つの光源ユニット１００に対して光源ユニット１００の両側に対称に各２つのストッパー１１が設けられている。
【０１３５】
本出願の実施例の一実施形態として、図２０、図２３〜図２５に示すように、前記ストッパー１１は、前記ベース７から垂直に曲げられたストッパ片である。本実施例において、ストッパー１１の形成は、直接ベース７を利用し、ベース７において切り起こしを行って、光源ユニット１００を取り付ける方向へ垂直に曲げるように行わればよい。また、ベース７に形成された貫通孔は、放熱の役割を果たしている。
【０１３６】
本出願の実施例の一実施形態として、図１９〜図２０、図２３〜図２７に示すように、前記カバー１２を前記ベース７に着脱可能に接続する構成は、以下のようになる。前記ベース７の嵌合輪の内側に周方向に沿って等間隔に３つのストッパピン８が設けられ、前記ストッパピン８の中心線が前記ベース７の中心線に垂直する。前記カバー１２の嵌合輪の端部は、前記ベース７の嵌合輪内に挿入される。前記カバー１２の嵌合輪の端部に、環状開口が設けられている。前記カバー１２の嵌合輪の端部の外周面に、ストッパピン８に対応して、前記カバー１２の中心方向に突出する３つの凹溝１４と、前記凹溝１４のぞれぞれと連続する除変溝１３が設けられている。取り付けるとき、前記カバー１２の凹溝１４を前記ストッパピン８に対して位置合わせし、そして前記ストッパピン８を前記凹溝１４においてスライドさせて前記除変溝１３に進入させ、前記ストッパピン８が前記除変溝１３の尽きに当接するように、前記カバー１２を回す。カバー１２を取り付けるとき、カバー１２を回すだけで取り付けることができるので、取り付けが簡単になり、修理・交換が容易である。ここで、カバー１２の中心から除変溝１３までの直径は、凹溝１４を離間する方向から逓減する。
【０１３７】
本実施例において、ベース７の嵌合輪に凹溝を設け、カバー１２の嵌合輪に突起を設け、カバー１２を回して突起をベース７の凹溝に係止させればよい。カバーとベースとの組立は、従来技術の常用手段を利用してもよい。
【０１３８】
本出願の実施例の一実施形態として、図１９〜図２１に示すように、前記光源ユニット１００同士がケーブル４を介して接続され、各前記光源ユニット１００の両端にそれぞれレセプタクル５（図１０を参照）が設置され、各前記ケーブル４の両端にそれぞれ前記レセプタクル５に挿着するプラグ３が設置されている。組立時に、２つの光源ユニット１００同士をケーブル４を介して接続すればよく、取り外して交換するときに、ケーブル４のプラグ３をレセプタクル５から抜き出せば、光源ユニット１００を交換することができるので、着脱が簡単になった。
【０１３９】
本実施例において、図２０に示すように、前記レセプタクル５の上方に保護カバー２（図１０を参照）が設けられ、前記保護カバー２が前記光源ユニットに固定される。保護カバー２は、プラグ３とレセプタクル５との挿着の部位を保護する役割を果たしている。
【０１４０】
上記の記載は、本出願の好ましい実施例にすぎず、本出願を限定するものではない。本出願の精神及び主旨を逸脱しない限り、行われる如何なる変更、均等置換及び改良等も、本出願の保護範囲に属する。
【０１４１】
産業上の利用可能性
本出願の実施例によるレンズ板、光源ユニット、光源ユニット用電気接続構造及びＬＥＤ照明器具によって、部品の種類が減少し、在庫部品数及び在庫整理の煩雑な手間が減少し、材料の種類が減少し、金型が１種だけあればよいため、製造するための原料コスト及び人的コストが大幅に低減し、利用が簡単である。
【符号の説明】
【０１４２】
１００  光源ユニット、１１０  レンズ板、１１２  板本体、１１３  レンズ、１２０  第１係止具、１２１  係止部、１２２  接続部、１３０  第２係止具、１３１  片持ちアーム、１３２  係止爪、１４０  光源基板、１５０  第２貫通孔、１６０  接続具、１６１  第１部、１６２  第２部、１７０  第３貫通孔、２００  ベース、２１０  第１貫通孔、３００  位置規制片、４００  収容部、２  保護カバー、３  プラグ、３１  位置規制弾性片、３２  ガイドブロック、３３  差込孔、４  ケーブル、５  レセプタクル、５１  係止溝、５２  導電片、５３  位置規制溝、５４  ガイド溝、５５  滑り止め突起、６  駆動ユニット、７  ベース、８  ストッパピン、９  係止ヘッド、９１  係止突起、１０  係止孔、１１  ストッパー、１２  カバー、１３  除変溝、１４  凹溝。
【図１】
0003226661.tif 000003
【図２】
0003226661.tif 000004
【図３】
0003226661.tif 000005
【図４】
0003226661.tif 000006
【図５】
0003226661.tif 000007
【図６】
0003226661.tif 000008
【図７】
0003226661.tif 000009
【図８】
0003226661.tif 000010
【図９】
0003226661.tif 000011
【図１０】
0003226661.tif 000012
【図１１】
0003226661.tif 000013
【図１２】
0003226661.tif 000014
【図１３】
0003226661.tif 000015
【図１４】
0003226661.tif 000016
【図１５】
0003226661.tif 000017
【図１６】
0003226661.tif 000018
【図１７】
0003226661.tif 000019
【図１８】
0003226661.tif 000020
【図１９】
0003226661.tif 000021
【図２０】
0003226661.tif 000022
【図２１】
0003226661.tif 000023
【図２２】
0003226661.tif 000024
【図２３】
0003226661.tif 000025
【図２４】
0003226661.tif 000026
【図２５】
0003226661.tif 000027
【図２６】
0003226661.tif 000028
【図２７】
0003226661.tif 000029
【手続補正書】
【提出日】令和2年4月20日(2020.4.20)
【手続補正１】
【補正対象書類名】実用新案登録請求の範囲
【補正対象項目名】全文
【補正方法】変更
【補正の内容】
【実用新案登録請求の範囲】
【請求項１】
レンズ板であって、
両端にそれぞれ第１係止具が設置され、
前記第１係止具は、前記レンズ板を離間してシーリングライトのベースと着脱可能に係止する係止部と、前記係止部と前記レンズ板を接続する接続部とを備え、
前記接続部は、開口が下向きのＵ型構造であることを特徴とするレンズ板。
【請求項２】
前記レンズ板に、光源基板と係止するための第２係止具がさらに設置されることを特徴とする請求項１に記載のレンズ板。
【請求項３】
光源基板と、
前記光源基板と着脱可能に接続される請求項１又は２に記載のレンズ板と
を含むことを特徴とする光源ユニット。
【請求項４】
光源基板と請求項１に記載のレンズ板とを含み、
前記光源基板は、前記光源基板を貫通する第２貫通孔が両端にそれぞれ設けられ、２つの前記第２貫通孔を結ぶ線と前記光源基板の長手方向の中心線とが鋭角をなすように設けられ、
前記レンズ板に、前記光源基板と着脱可能に係止するための第２係止具が設置され、前記第２係止具と前記第２貫通孔とが一対一で対応する
ことを特徴とする光源ユニット。
【請求項５】
前記第２係止具が片持ちアームを含み、
前記レンズ板に第３貫通孔が設けられ、前記片持ちアームの頂端が前記第３貫通孔を通過して前記レンズ板の頂面に設けられている接続具と接続され、
前記接続具は、前記レンズ板の上方に位置する第１部と、前記第１部と前記レンズ板とを接続する第２部とを含み、前記片持ちアームが前記第１部の底部に設置されることを特徴とする請求項４に記載の光源ユニット。
【請求項６】
複数の請求項３〜５のいずれか１つに記載の光源ユニットと複数のケーブルとを含み、  各前記光源ユニットの両端にそれぞれレセプタクルが設置され、
各前記ケーブルの両端にそれぞれ前記レセプタクルに挿着するプラグが設けられ、
前記光源ユニット同士が前記ケーブルを介して接続され、
前記レセプタクルに、前記プラグを挿入する係止溝が設けられ、前記係止溝の対向する２つの内側壁にそれぞれガイド溝が設けられ、前記プラグの２つの側面において、前記ガイド溝と対応する摺動可能なガイドブロックがそれぞれ設けられていることを特徴とする光源ユニット用電気接続構造。
【請求項７】
前記レセプタクルの導電片の一端が前記光源ユニットの電極と溶接で接続され、前記レセプタクルの導電片の他端が前記プラグと挿着接続され、前記プラグに、前記レセプタクルの導電片を挿入する差込孔が設けられていることを特徴とする請求項６に記載の光源ユニット用電気接続構造。
【請求項８】
ベースと、光源ユニット群と、駆動ユニットと、カバーとを含み、
光源ユニット群は、着脱可能に前記ベースに取り付けられる複数の請求項３〜５のいずれか１つに記載の光源ユニットを含み、前記光源ユニットは、光源基板とレンズ板とを含み、前記光源基板の両端に前記光源基板を貫通する第１貫通孔がそれぞれ設けられ、２つの前記第１貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第１貫通孔とが一対一で対応し、
駆動ユニットは、前記ベースに取り付けられ、前記光源ユニットと前記駆動ユニットとが電気接続され、
カバーは、前記ベースと着脱可能に接続され、前記光源ユニット群及び前記駆動ユニットを遮るように構成されている
ことを特徴とするＬＥＤ照明器具。
【請求項９】
前記光源ユニットを前記ベースに着脱可能に取り付けるように、前記光源ユニットの両端にそれぞれ係止ヘッドが設置され、前記ベースに、前記係止ヘッドをそれぞれ係止する係止孔が設けられていることを特徴とする請求項８に記載のＬＥＤ照明器具。
【請求項１０】
前記ベースの嵌合輪の内側に、周方向に沿って等間隔に３つのストッパピンが設けられ、前記ストッパピンの中心線が前記ベースの中心線に垂直し、
前記ベースの嵌合輪内に挿入される前記カバーの嵌合輪の端部に、環状開口が設けられ、前記カバーの嵌合輪の端部の外周面に、前記ストッパピンに対応して、前記カバーの中心方向に突出する３つの凹溝と、前記凹溝のそれぞれと連続する除変溝とが設けられ、
前記カバーと前記ベースとを着脱可能に接続するように、前記ストッパピンが、前記凹溝に沿って前記除変溝の終端に当接するまでスライドできるように構成されている
ことを特徴とする請求項８又は９に記載のＬＥＤ照明器具。
【手続補正２】
【補正対象書類名】明細書
【補正対象項目名】００１３
【補正方法】変更
【補正の内容】
【００１３】
本出願に係る光源ユニットは、光源基板と前記レンズ板とを含み、
前記光源基板は、前記光源基板を貫通する第２貫通孔が両端にそれぞれ設けられ、２つの前記第２貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第２貫通孔とが一対一で対応する。
【手続補正３】
【補正対象書類名】明細書
【補正対象項目名】００１６
【補正方法】変更
【補正の内容】
【００１６】
本出願に係る光源ユニット用電気接続構造は、複数の前記光源ユニットと複数のケーブルとを含み、
各前記光源ユニットの両端にそれぞれレセプタクルが設置され、
各前記ケーブルの両端にそれぞれ前記レセプタクルに挿着するプラグが設けられ、
前記光源ユニット同士が前記ケーブルを介して接続され、
前記レセプタクルに、前記プラグを挿入する係止溝が設けられ、前記係止溝の対向する２つの内側壁にそれぞれガイド溝が設けられ、前記プラグの２つの側面において、前記ガイド溝と対応する摺動可能なガイドブロックがそれぞれ設けられる。
【手続補正４】
【補正対象書類名】明細書
【補正対象項目名】００１９
【補正方法】変更
【補正の内容】
【００１９】
本出願に係るＬＥＤ照明器具は、ベースと、光源ユニット群と、駆動ユニットと、カバーとを含み、
光源ユニット群は、着脱可能に前記ベースに取り付けられる複数の前記光源ユニットを含み、前記光源ユニットは、光源基板とレンズ板とを含み、前記光源基板の両端に前記光源基板を貫通する第１貫通孔がそれぞれ設けられ、２つの前記第１貫通孔を結ぶ線と前記光源基板の長手方向の中心線とが鋭角をなすように設けられ、前記レンズ板に、前記光源基板と着脱可能に係止するための第２係止具が設置され、前記第２係止具と前記第１貫通孔とが一対一で対応し、
駆動ユニットは、前記ベースに取り付けられ、前記光源ユニットと前記駆動ユニットとが電気接続され、
カバーは、前記ベースと着脱可能に接続され、前記光源ユニット群及び前記駆動ユニットを遮るように構成されている。
【手続補正５】
【補正対象書類名】明細書
【補正対象項目名】００２０
【補正方法】変更
【補正の内容】
【００２０】
好ましくは、前記光源ユニットを前記ベースに着脱可能に取り付けるように、前記光源ユニットの両端にそれぞれ係止ヘッドが設置され、前記ベースに、前記係止ヘッドをそれぞれ係止する係止孔が設けられている。